【事件の表示】
　特願２０１２−５３６００５「メディアデータ及びメタデータの組み合わせを供給する方法及びシステム」拒絶査定不服審判事件〔平成２３年　５月１２日国際公開、ＷＯ２０１１／０５５２８８，平成２５年　３月２１日国内公表，特表２０１３−５１０４６２〕について，次のとおり審決する。
【結　論】
　本件審判の請求は，成り立たない。
【理　由】
第１　手続の経緯
　本願は，２０１０年（平成２２年）１１月１日（パリ条約による優先権主張外国庁受理　２００９年１１月４日　欧州特許庁）を国際出願日とする出願であって，その手続の経緯は，以下のとおりである。
　平成２６年　８月２８日付け：拒絶理由の通知
　平成２６年１２月　２日　：手続補正
　平成２７年　５月２７日付け：拒絶査定
　平成２７年　６月　２日　：拒絶査定の謄本の送達
　平成２７年　９月３０日　：拒絶査定不服審判の請求
　平成２７年　９月３０日　：手続補正（誤訳訂正書の提出）
第２　補正却下の決定
［補正却下の決定の結論］
　平成２７年９月３０日付けの手続補正を却下する。
［理由］
１　本願発明と補正後の発明
　上記手続補正（以下「本件補正」という。）は，本件補正前の平成２６年１２月２日付けの手続補正書の特許請求の範囲に記載された，
「【請求項１】
　ビデオデータ及びメタデータの組み合わせを供給する方法において，
　処理システムが，ビデオカメラにより取り込まれる画像のシーケンスを得るステップと，
　前記処理システムが，前記画像のシーケンスから少なくとも１つの信号を抽出するステップであり，各々の抽出した信号は，光の強度及び色の少なくとも１つの局所的な時間変動を特徴付けている，ステップと，
　前記処理システムが，圧縮したビデオデータを得るために，前記シーケンスからの画像の画像データに少なくとも１つのビデオ圧縮技術を適用するステップであり，前記少なくとも１つの抽出した信号は，前記画像からの画像データに前記少なくとも１つの圧縮技術を適用する前の状態の画像から抽出される，ステップと，
　前記処理システムが，前記画像の少なくとも一部に表される被験者における少なくとも１つの処理を特徴付けるためのメタデータを前記圧縮したビデオデータに供給するステップであり，前記処理は，前記被験者から取り込まれる光の色及び強度の少なくとも１つの局所的な時間変動を引き起こし，前記メタデータは前記抽出した信号の少なくとも１つに少なくとも基づいている，ステップとを有する，方法。
【請求項２】
　前記処理システムが，前記少なくとも１つの抽出した信号の少なくとも１つの得られた部分に少なくとも基づいたデータの分析の結果に依存して，前記少なくとも１つの圧縮技術の適用を適合させるステップを含む，請求項１に記載の方法。
【請求項３】
　前記処理システムが，前記画像のシーケンスを得ている間，前記抽出した信号の少なくとも１つの得られた部分に少なくとも基づいたデータの分析の結果に依存して，少なくとも１つのカメラを使用して前記画像を取り込む処理のパラメタを調節させるステップを有する，請求項１に記載の方法。
【請求項４】
　カメラに含まれる処理システムにより実行される，請求項１に記載の方法。
【請求項５】
　前記メタデータは，前記画像のシーケンスにおける光の強度及び色の少なくとも１つの局所的な時間変動を特徴付ける少なくとも１つの信号を含んでいる，請求項１に記載の方法。
【請求項６】
　ビデオデータ及びメタデータの組み合わせを供給するためのシステムにおいて，
　画像のシーケンスを取り込むためのカメラとのインタフェースと，
　圧縮したビデオデータを得るために，前記シーケンスからの画像の画像データに少なくとも１つのビデオ圧縮技術を適用し，前記画像のシーケンスから少なくとも１つの信号を抽出し，前記画像の少なくとも一部に表される少なくとも１人の被験者における少なくとも１つの処理を特徴付けるためのメタデータを生成するように構成されるビデオデータ処理システムであり，各々の抽出した信号は，光の強度及び色の少なくとも１つの局所的な時間変動を特徴付け，前記少なくとも１つの抽出した信号は，前記画像からの画像データに前記少なくとも１つの圧縮技術を適用する前の状態の画像から抽出され，前記メタデータは，前記被験者から取り込まれる光の色及び強度の少なくとも１つの局所的な時間変動を引き起こす処理を特徴付け，前記抽出した信号の少なくとも１つに少なくとも基づいている，ビデオデータ処理システムと，
　前記圧縮したビデオデータに前記メタデータを供給するための出力インタフェースを有する，システム。
【請求項７】
　請求項１乃至５の何れか一項に記載の方法を実行するように構成される，請求項６に記載のシステム。
【請求項８】
　圧縮したビデオ及びメタデータの組み合わせを含む信号を処理する方法であって，
　前記圧縮したビデオは，画像のシーケンスからの画像の画像データに少なくとも１つのビデオ圧縮技術を適用することにより得ることができ，前記メタデータは，前記画像のシーケンスにおける光の強度及び色の少なくとも１つの局所的な時間変動を特徴付ける少なくとも１つの信号を含み，前記少なくとも１つの信号は，前記画像からの画像データに前記少なくとも１つの圧縮技術を適用する前の状態の画像から抽出され，
　当該方法は，処理システムが，前記画像のシーケンスの少なくとも一部に表される被験者における少なくとも１つの処理を特徴付けるパラメタの少なくとも１つの値を計算するステップを含み，
　前記処理は，前記画像のシーケンスにおける光の強度及び色の少なくとも１つの局所的な時間変動を特徴付ける前記信号の少なくとも１つを入力として用いて，前記被験者から取り込まれる光の色及び強度の少なくとも１つの局所的な時間変動を引き起こす，方法。
【請求項９】
　圧縮したビデオ及びメタデータの組み合わせを含む信号を処理するシステムにおいて，
　前記圧縮したビデオは，画像のシーケンスからの画像の画像データに少なくとも１つのビデオ圧縮技術を適用することにより得ることができ，前記メタデータは，前記画像のシーケンスにおける光の強度及び色の少なくとも１つの局所的な時間変動を特徴付ける少なくとも１つの信号を含み，前記少なくとも１つの信号は，前記画像からの画像データに前記少なくとも１つの圧縮技術を適用する前の状態の画像から抽出され，
　当該システムは，
　前記信号を得るためのインタフェースと，
　前記画像のシーケンスの少なくとも一部に表される被験者における少なくとも１つの処理を特徴付けるパラメタの少なくとも１つの値を計算するためのデータ処理システムであり，前記処理は，前記画像のシーケンスにおける光の強度及び色の少なくとも１つの局所的な時間変動を特徴付ける前記信号の少なくとも１つを入力として用いて，前記被験者から取り込まれる光の色及び強度の少なくとも１つの局所的な時間変動を引き起こす，データ処理システムとを有する，システム。
【請求項１０】
　機械読み取り可能な媒体に実装されるとき，情報処理機能を持つシステムに請求項１乃至５又は請求項８の何れか一項に記載の方法を行わせることが可能である命令の組を含む，コンピュータプログラム。」
という発明（特に，請求項１に係る発明を，以下「本願発明」という。）を，平成２７年９月３０日付け誤訳訂正書の特許請求の範囲に記載された，
「【請求項１】
　ビデオデータ及びメタデータの組み合わせを供給する方法において，
　処理システムが，ビデオカメラにより取り込まれる画像のシーケンスを得るステップと，
　前記処理システムが，前記画像のシーケンス
にある複数の関心領域
　前記処理システムが，圧縮したビデオデータを得るために，前記シーケンスからの画像の画像データに少なくとも１つのビデオ圧縮技術を適用するステップであり，前記少なくとも１つの抽出した信号は，前記画像からの画像データに前記少なくとも１つの圧縮技術を適用する前の状態の画像から抽出される，ステップと，
　前記処理システムが，前記画像の少なくとも一部に表される被験者における少なくとも１つの
生物学的
【請求項２】
　前記処理システムが，前記少なくとも１つの抽出した信号の少なくとも１つの得られた部分に少なくとも基づいたデータの分析の結果に依存して，前記少なくとも１つの圧縮技術の適用を適合させるステップを含む，請求項１に記載の方法。
【請求項３】
　前記処理システムが，前記画像のシーケンスを得ている間，前記抽出した信号の少なくとも１つの得られた部分に少なくとも基づいたデータの分析の結果に依存して，少なくとも１つのカメラを使用して前記画像を取り込む処理のパラメタを調節させるステップを有する，請求項１に記載の方法。
【請求項４】
　カメラに含まれる処理システムにより実行される，請求項１に記載の方法。
【請求項５】
　前記メタデータは，前記画像のシーケンスにおける光の強度及び色の少なくとも１つの局所的な時間変動を特徴付ける少なくとも１つの信号を含んでいる，請求項１に記載の方法。
【請求項６】
　ビデオデータ及びメタデータの組み合わせを供給するためのシステムにおいて，
　画像のシーケンスを取り込むためのカメラとのインタフェースと，
　圧縮したビデオデータを得るために，前記シーケンスからの画像の画像データに少なくとも１つのビデオ圧縮技術を適用し，前記画像のシーケンス
にある複数の関心領域
生物学的
　前記圧縮したビデオデータに前記メタデータを供給するための出力インタフェースを有する，システム。
【請求項７】
　請求項１乃至５の何れか一項に記載の方法を実行するように構成される，請求項６に記載のシステム。
【請求項８】
　圧縮したビデオ及びメタデータの組み合わせを含む信号を処理する方法であって，
　前記圧縮したビデオは，画像のシーケンスからの画像の画像データに少なくとも１つのビデオ圧縮技術を適用することにより得ることができ，前記メタデータは，前記画像のシーケンス
にある複数の関心領域
　当該方法は，処理システムが，前記画像のシーケンスの少なくとも一部に表される被験者における少なくとも１つの
生物学的
　前記処理は，前記画像のシーケンスにおける光の強度及び色の少なくとも１つの局所的な時間変動を特徴付ける前記信号の少なくとも１つを入力として用いて，前記被験者から取り込まれる光の色及び強度の少なくとも１つの局所的な時間変動を引き起こす，方法。
【請求項９】
　圧縮したビデオ及びメタデータの組み合わせを含む信号を処理するシステムにおいて，
　前記圧縮したビデオは，画像のシーケンスからの画像の画像データに少なくとも１つのビデオ圧縮技術を適用することにより得ることができ，前記メタデータは，前記画像のシーケンス
にある複数の関心領域
　当該システムは，
　前記信号を得るためのインタフェースと，
　前記画像のシーケンスの少なくとも一部に表される被験者における少なくとも１つの
生物学的
【請求項１０】
　機械読み取り可能な媒体に実装されるとき，情報処理機能を持つシステムに請求項１乃至５又は請求項８の何れか一項に記載の方法を行わせることが可能である命令の組を含む，コンピュータプログラム。」
という発明（特に，請求項１に係る発明を，以下「補正後の発明」という。）に補正することを含むものである（下線は，審判請求人が示した補正箇所である。）。
２　補正の目的要件等について
　誤訳訂正書を提出することによる本件補正は，国際出願日における国際出願の明細書，請求の範囲又は図面に記載した事項の範囲内においてなされており，特許請求の範囲について，以下の点で限定することにより，これを減縮しようとするものであって，かつ，補正前の各発明と，補正後の各発明とは，産業上の利用分野及び解決しようとする課題が同一である。
・「前記画像のシーケンスから少なくとも１つの信号を抽出する」ことに関し，「前記画像のシーケンスから」抽出することを，「前記画像のシーケンスにある複数の関心領域から」抽出することと特定した点（請求項１，６について）
・メタデータが含む，「前記画像のシーケンスにおける光の強度及び色の少なくとも１つの局所的な時間変動を特徴付ける少なくとも１つの信号」に関し，「前記画像のシーケンスにおける」ものであることを，「前記画像のシーケンスにある複数の関心領域における」ものであることと特定した点（請求項８，９について）
・「処理を特徴付けるためのメタデータ」に関し，当該「処理」が「生物学的処理」である旨，特定した点（請求項１，６について）
・「処理を特徴付けるパラメタ」に関し，当該「処理」が「生物学的処理」である旨，特定した点（請求項８，９について）
　したがって，本件補正後の特許出願は，特許法第１８４条の１８において読み替えて準用する第４９条第６号（原文新規事項）に違反するものではなく，また，本件補正は，第１７条の２第５項第２号（補正の目的）の規定に適合している。
　さらに，同法第第１７条の２第４項（シフト補正）の規定に違反するところもない。
３　独立特許要件について
　本件補正は，特許請求の範囲の限定的減縮を目的とするものであるから，補正後の発明が，特許出願の際独立して特許を受けることができるものであるか否か（特許法第１７条の２第６項において準用する同法第１２６条第７項の規定に適合するか否か）について，以下に検討する。
（１）補正後の発明
　上記「１　本願発明と補正後の発明」において「補正後の発明」として認定したとおりである。
　なお，下記のとおり，当審において，（Ａ）から（Ｆ）までの記号を説明のために付与した。以下，構成要件Ａ，構成要件Ｂなどと称することとする。
（Ａ）　ビデオデータ及びメタデータの組み合わせを供給する方法において，
（Ｂ）　処理システムが，ビデオカメラにより取り込まれる画像のシーケンスを得るステップと，
（Ｃ）　前記処理システムが，前記画像のシーケンスにある複数の関心領域から少なくとも１つの信号を抽出するステップであり，各々の抽出した信号は，光の強度及び色の少なくとも１つの局所的な時間変動を特徴付けている，ステップと，
（Ｄ）　前記処理システムが，圧縮したビデオデータを得るために，前記シーケンスからの画像の画像データに少なくとも１つのビデオ圧縮技術を適用するステップであり，前記少なくとも１つの抽出した信号は，前記画像からの画像データに前記少なくとも１つの圧縮技術を適用する前の状態の画像から抽出される，ステップと，
（Ｅ）　前記処理システムが，前記画像の少なくとも一部に表される被験者における少なくとも１つの生物学的処理を特徴付けるためのメタデータを前記圧縮したビデオデータに供給するステップであり，前記処理は，前記被験者から取り込まれる光の色及び強度の少なくとも１つの局所的な時間変動を引き起こし，前記メタデータは前記抽出した信号の少なくとも１つに少なくとも基づいている，ステップとを有する，
（Ｆ）方法。
（２）引用発明等
（２−１）引用例１の記載及び引用発明
（２−１−１）引用例１の記載
　原審の平成２６年８月２８日付けの拒絶理由に引用された，特開２００１−３４６７６８号公報（以下「引用例１」という。）には，「遠隔医療診断システム」として，図面とともに以下の事項が記載されている。
ア　「【０００９】近年，高齢化社会への移行に伴い遠隔医療診断のニーズは非常に高くなっているが，投資コストが低く，利便性が高く，かつ信頼性の高い遠隔医療診断システムが強く要求されているのが実状である。
特に，多忙な医師にとっては，自宅あるいは出張先等で携帯電話等を使用して患者の画像，音声，生体信号を受信し，これら受信したデータをノート型パーソナルコンピュータで再生することにより，患者の容態を適切に診断できるシステムの開発が要求されている。
【００１０】そこで，本発明の目的は，通信速度が数Ｍｂｐｓである高速な通信回線，及び通信速度が数十Ｋｂｐｓと比較的遅いアナログ式公衆電話回線，ＰＨＳあるいは携帯電話等の一般電話回線を使用しても，
患者側の画像，音声，生体信号データを医師側の診断用端末装置であるノート型パーソナルコンピュータに伝送し，これらのデータを再生し表示することができる遠隔医療診断システムを提供する
イ　「【００１２】
【発明の実施の形態】以下，本発明の実施の形態について説明する。
図１は，本発明の第１の実施の形態を示す全体システム構成図であり，電話回線として有線の一般電話回線を使用した例である。図１において，Ａは医師側の診断用端末装置（以下，医師側端末装置という）であり，
Ｂは患者側端末装置であり
【００１３】医師側の診断用端末装置Ａは，前記のように望ましくはノート型パソコン１から構成され，表示装置２，ハードディスク装置等の外部記憶装置３，キーボード及びマウス等の入力装置４を備えている。また，ノート型パソコン１には，図示しないインタフェースを介してマイクとイヤーホーン機能を持つヘッドセット５が接続されている。さらに，ノート型パソコン１は，モデム６を介して一般電話回線Ｃに接続される。
【００１４】
患者側端末装置Ｂは，制御装置７，患者の脈拍，血圧，心電図等を計測する生体モニタ装置８，患者の動きや顔色等を撮像するカメラ９，看護婦又は患者の音声を収集する手段であるマイク１０，ヘッドセット５により医師側から送信された音声を出力するスピーカ１１から構成されている。生体モニタ装置８は，脈拍，血圧，心電図等を同時に，あるいはこれらの任意のデータを計測することができる。生体モニタ装置８，カメラ９，マイク１０，スピーカ１１は，制御装置７に各々インターフェイス装置１２，１３，１４，１５，１６，１７，１８等を介して接続されている。
【００１５】インターフェイス装置１２は，生体モニタ装置８で計測した血圧等のデジタルデータを制御装置７に取り込むためのＲＳ２３２Ｃ回路である。インターフェイス装置１３は，生体モニタ装置８で計測した脈拍，心電図等のアナログデータをデジタルデータに変換するための手段であるＡ／Ｄ変換装置である。
インターフェイス装置１４は，カメラ９で撮像した画像信号をデジタル信号データに変換する手段であり，インターフェイス装置１５は，このデジタル信号データに変換した画像信号データを圧縮する手段であり，公知の画像圧縮用ＬＳＩを含む回路から構成されている。
これらのインターフェイス装置１２，１３，１４，１５，１６，１７，１８は，インタフェースボードとして制御装置７に組み込まれている。
【００１６】制御装置７は，マイクロコンピュータ又はパーソナルコンピュータから構成され，ＲＡＭ等の内部記憶装置１９，ＣＲＴ等の表示装置２０を備えている。さらに，制御装置７には，一般電話回線Ｃとデータの送受信を行うためのモデム２１が接続されている。また，制御装置７には，制御装置７の動作を制御するためのソフトウエアが組み込まれている。
【００１７】
制御装置７は，組み込まれたソフトウエアにより，次の二つの動作を制御する機能を有している。
１　
生体モニタ装置８により計測した生体信号データ，カメラ９により撮像した画像信号データ，マイク１０により収集した音声信号データを内部記憶装置１９に一時記憶して，多重化し，さらに所定のデータ長を持つパケットデータに変換（編集）して医師側のノート型パソコン１に伝送する。
２）カメラ９の姿勢及びズーム機能をインタフェース装置１６を介して制御する。」
ウ　「【００１９】
以下，患者側端末装置Ｂを構成する制御装置７の処理のうち，生体信号データ，画像信号データ，音声信号データの収集と，これらデータの多重化，パケットデータへの編集及び医師側端末装置Ａへのデータ伝送の処理手順を図３に示すフローチャートに基づいて説明する。
【００２０】（中略）
【００２１】（ステップＳ２）制御装置７は，「データ伝送要求信号」を受信すると，生体モニタ装置８が計測した脈拍，血圧，心電図等のデジタル信号データを入力し，内部記憶装置１９の所定の領域に一時記憶する。なお，脈拍，血圧，心電図等の生体信号データは，インタフェース装置１２，１３を介して各々所定の時間間隔で制御装置７に送られる。
【００２２】（中略）
【００２３】（ステップＳ４）上記ステップＳ２，Ｓ３の処理を行った処理時間が所定の時間（例えば１秒）ほど経過していない場合には，ステップＳ２に戻り，生体信号データ，及び音声信号データの入力を行う。このステップＳ２，Ｓ３，Ｓ４の処理により，生体信号データ，音声信号データは，リアルタイムにデータを収集し，内部記憶装置１９に一時記憶させ，ほぼ同期してリアルタイムに医師側端末装置Ａに伝送することができる。
【００２４】（ステップＳ５）前回撮像した１画面分の画像信号データを医師側端末装置Ａに伝送済みであり，かつ一般電話回線Ｃが空きの状態，すなわち，患者側端末装置Ｂから医師側端末装置Ａにデータを伝送することができる状態になっているかどうかをチェックする。これは，医師側端末装置Ａと患者側端末装置Ｂとは，既に一般電話回線Ｃを介して接続されているが，患者側端末装置Ｂから医師側端末装置Ａにデータ伝送が可能な状態になっているかどうかをモデム２１の伝送ポートをソフト的にチェックする処理である。この処理は，医師側端末装置Ａに前回伝送したパケットデータの伝送が完了しているかをチェックするために必要な処理である。
【００２５】
（ステップＳ６）前回撮像した１画面分の画像信号データを医師側端末装置Ａに伝送済みであり，かつ一般電話回線Ｃが空きの状態になっていれば，その時に，カメラ９で撮像した１画面分の患者の顔色等の画像データを圧縮したデジタル画像信号データを制御装置７に入力し，内部記憶装置１９の所定の領域に記憶する。
【００２６】
（ステップＳ７）ステップＳ２，Ｓ３，Ｓ６の処理で内部記憶装置１９に記憶した３種類のデータ，すなわち生体信号データ，音声信号データ及び画像信号データを多重化する。この多重化とは，図５に示すように，各信号データを画像信号データ，生体信号データ，音声信号データの順序に並べ，さらに，１パケットが所定のデータ長（バイト数）を有するパケットデータの構造に変換する。
エ　「【００３０】
続いて，医師側端末装置であるノート型パソコン１の処理について説明する。ノート型パソコン１は，医師が自宅又は出張先等において使用する。
図４は，この接続後のノート型パソコン１の処理手順の概要を示すフローチャートである。以下図４に基づいて説明する。
【００３１】（中略）
【００３２】（ステップＳ２２）患者側端末装置Ｂから送られてくる１パケット分のデータを受信する。受信した１パケット分のデジタルデータは，内部記憶装置の所定の領域に記憶する。
【００３３】（ステップＳ２３）ステップＳ２２で受信した生体信号データ，音声信号データを再生して，生体信号データはノート型パソコン１の表示装置２に表示し，音声信号データはヘッドセット５から音声として出力する。この受信したデータの再生処理では，生体信号データ及び音声信号データはデジタルデータであるので，ソフトウエアの処理により，生体信号データの血圧データは数値，脈拍及び心電図は波形として表示装置２に表示する。また，音声信号データは図示していないインタフェース装置により音声としてヘッドセット５から出力するようにする。
【００３４】（ステップＳ２４）ステップＳ２２で受信した１パケット分のデータのうち，画像データを分離して内部記憶装置の所定の画像データ記憶領域に記憶する。このステップでは，１パケットで伝送される画像信号データは，１画面分の画像信号データの一部分であるため，１画面分の画像信号データが伝送されるまで内部記憶装置に記憶するようにしている。
【００３５】（中略）
【００３６】（ステップＳ２６）患者側端末装置から，１画面分の画像信号データを受信したかをチェックし，まだ受信していない場合には，ステップＳ２２に戻って次の１パケットデータを受信する。（中略）
【００３７】（ステップＳ２７）１画面分の画像信号データを受信した場合には，画像データ記憶領域に記憶した１画面分の画像信号データを復号化してノート型パソコン１の表示装置２に表示する。この画像信号データの復号化は，ソフトウエアの処理により患者側端末装置Ｂで行った画像信号データの圧縮を解凍し，表示装置２に表示可能な信号データに変換する。表示装置２に１画面分の画像信号データを表示すると，患者側端末装置Ｂに次の画像信号データの伝送要求信号を送り，ステップＳ２２に戻って，次のパケットデータを受信する。
なお，表示装置２に血圧，脈拍，心電図等の生体信号データ，及び画像データを表示するときには，表示する画面を適切に分割して表示するようにする。
オ　「【００４２】
【発明の効果】以上に説明した本発明は次のような効果を有している。
１）
通信速度が３２Ｋｂｐｓ，または６４Ｋｂｐｓという比較的に通信速度が遅い一般電話回線を利用した場合でも，画像信号，生体信号，音声信号データをパケット化して医師側のノート型パソコンに伝送するために，このノート型パソコンでは，画像を静止画像の連続画像として，生体信号及び音声はほぼ患者側とリアルタイムに同期して再生することができるので，医師は適切な診断を行うことができる。
２　画像信号，生体信号，音声信号データの３種類のデータをパケットデータに変換して伝送するので，一般電話回線の１回のみでシステムの構築ができる。
３）医師側端末装置は，ノート型パソコンを利用することが可能であり，利便性が著しく向上するのみならず，電話回線も１回線でよいために，投資コストが低い遠隔医療診断システムを提供することができる。」
（２−１−２）引用発明
　上記（２−１−１）の摘記事項アないしオ及び関連する図面並びにこの分野における技術常識を考慮して引用例１の記載を検討する。
（ア）　上記ア及びイには，引用例１において開示される発明が，医師側端末装置において，撮像された患者の画像や生体信号を受信し，医師が患者の容態を適切に診断できるようにするためのものであることについて記載されている。
　また，上記アないしウには，遠隔医療診断システムにおいて，患者側端末装置から医師側端末装置に，画像信号データ及び生体信号データを多重化して伝送することについて記載されている。
　上記エには，医師側端末装置において，表示する画面を分割して，生体信号データと画像データとを表示することについて記載されている。
　また，上記ウには，引用例患者側端末装置から医師側端末装置に対し，複数枚分の画像信号データが伝送されることが記載され，上記オには，前記画像信号に係る画像が，静止画像の連続画像として再生されることについて記載されている。
　以上の記載を踏まえ，上記遠隔医療診断システムの動作を，方法の発明として把握すると，引用例１には，『撮像された患者の，静止画像の連続画像に係る画像信号データと，当該撮像された患者の，生体信号データとを，医師側端末において画面を分割して表示できるように伝送する方法』が記載されているといえる。
（イ）　上記ア及びイには，上記遠隔医療診断システムが，患者側端末装置を備え，当該患者側端末装置の備えるカメラ９が，患者の動きや顔色等の画像を撮像することについて記載されている。
　また，上記（ア）に示したように，上記ウには，患者側端末装置から医師側端末装置に対し，複数枚分の画像信号データが伝送されることについて記載され，上記オには，前記画像信号に係る画像が，静止画像の連続画像として再生されることについて記載されている。
　以上の記載を踏まえれば，引用例１には，『遠隔医療診断システムが，カメラにより，前記静止画像の連続画像を撮像』することについて記載されているといえる。
（ウ）　上記ア及びイには，遠隔医療診断システムの患者側端末装置において，生体モニタ装置が患者の脈拍等を計測することについて記載されている。
　当該記載を踏まえれば，引用例１には，『前記遠隔医療診断システムが，生体モニタ装置で患者の脈拍等を計測』することについて記載されているといえる。
（エ）　上記ア及びイには，遠隔医療診断システムの患者側端末装置において，インターフェイス装置１５が，前記カメラ９で撮像した画像の画像信号データを，圧縮することについて記載されている。
　当該記載を踏まえれば，引用例１には，『前記遠隔医療診断システムが，カメラで撮像した画像の前記画像信号データを圧縮』することについて記載されているといえる。
（オ）　上記（イ）及び（ウ）に示したように，上記ア及びイには，遠隔医療診断システムの患者側端末装置において，カメラ９が，患者の動きや顔色等を撮像すること，及び生体モニタ装置８が，患者の脈拍等を計測することについて記載されている。
　また，上記イ及びウには，患者側端末装置において，制御装置７が，前記圧縮した画像信号データ，及び患者の脈拍等に係る前記生体信号データを多重化し，所定のデータ長を持つパケットデータに変換して，医師側端末装置に伝送することについて記載されている。
　以上の記載を踏まえれば，引用例１には，『前記遠隔医療診断システムが，カメラで撮像している患者の脈拍等のデータである前記生体信号データを，前記圧縮した画像信号データと多重化して医師側端末装置に伝送する』ことについて記載されているといえる。
（カ）　まとめ
　以上によれば，引用例１には，次の発明（以下「引用発明」という。）が開示されている。なお，引用発明に対し，下記のとおり，当審において，（ａ）から（ｆ）までの記号を説明のために付与した。以下，構成要件ａ，構成要件ｂなどと称することとする。
（引用発明）
（ａ）撮像された患者の，静止画像の連続画像に係る画像信号データと，当該撮像された患者の，生体信号データとを，医師側端末において画面を分割して表示できるように伝送する方法において，
（ｂ）遠隔医療診断システムが，カメラにより静止画像の連続画像を撮像し，
（ｃ）前記遠隔医療診断システムが，生体モニタ装置で患者の脈拍等を計測し，
（ｄ）前記遠隔医療診断システムが，カメラで撮像した画像の前記画像信号データを圧縮し，
（ｅ）前記遠隔医療診断システムが，カメラで撮像している患者の脈拍等のデータである前記生体信号データを，前記圧縮した画像信号データと多重化して医師側端末装置に伝送する，
（ｆ）方法。
（２−２）引用例２の記載及び技術事項
（２−２−１）引用例２の記載
　原審の平成２６年８月２８日付け拒絶理由に引用された，特開２００５−２１８５０７号公報（以下「引用例２」という。）には，「バイタルサイン計測方法と装置」として，図面とともに以下の事項が記載されている。
ア　「【発明の詳細な説明】
【技術分野】
【０００１】
　
本発明は，被検体の体動を示す部分を撮像した動画像から生体の状態を示す信号（バイタルサイン）を計測する方法と装置に関する。
イ　「【００１０】
　
本発明の目的は，被検体のバイタルサインを簡単かつ正確に測定可能にする，バイタルサイン計測方法と装置を提供することにある。
【課題を解決するための手段】
【００１１】
　
本発明の第１の観点によれば，被検体のバイタルサインを示す体動を示す領域を撮像し，該体動を示す領域の撮像信号の画像濃度を算出することを連続して行い，該算出した濃度の時間的変化から前記被検体のバイタルサインを計測する，バイタルサイン計測方法が提供される。
ウ　「【００１７】
　第１実施の形態
　図１は本発明のバイタルサイン計測装置の第１実施の形態としての構成図である。
　バイタルサイン計測装置１は，被検体１００，たとえば，人体のバイタルサインを測定するため，本発明の撮像手段としてのビデオカメラ１１と，本発明の信号処理手段としての信号処理装置１３とを有する。
【００１８】
　ビデオカメラ１１はズーム機能つきであるが，カラービデオカメラでもよいし，モノクロビデオカメラでもよい。本実施の形態ではモノクロビデオカメラを用いた。
　ビデオカメラ１１は従って，撮像信号として各画素について，たとえば，０〜２５５の階調のデータを出力する。たとえば，白が階調０であり，黒が階調２５５となる。
【００１９】（中略）
【００２３】
　たとえば，被検体１００の位置，および，ビデオカメラ１１の撮像条件，たとえば，撮像方向，ズームの度合い，照明条件などは手動で設定する。
　なお，上記照明条件については，ビデオカメラ１１のオートアイリス機能で生活の場の明暗変化に自動的に対応させることもできる。その場合，照明条件を設定する必要はない。
　上記条件下において，ビデオカメラ１１で撮像した画像信号（画像データ）を，たとえば，半導体メモリ１３４に一時的に記憶し，その画像データを１フレーム分液晶表示装置１３７に表示し，液晶表示装置１３７に表示された画像データについて，ユーザが，たとえば，マウスなどを用いて，使用する画像領域，たとえば，後述する第１例における第１領域Ａ１，第２領域Ａ２などを設定する。
【００２４】
　他方，ビデオカメラ１１を３次元空間内で撮像の向き（方向）を変更可能な機構を付加し，ズーム機能付きビデオカメラ１１を用いて，自動的にビデオカメラ１１の撮像方向を調整し，ズームの有無またはズームの程度を調整して希望する撮像条件にすることもできる。（中略）
【００２６】
　ステップ２：撮像
　
ビデオカメラ１１は連続的にビデオカメラ１１の所定位置を撮像して信号処理装置１３の入力部１３１に送出している。
　
ＣＰＵ１３５は所定周期，たとえば，テレビジョン受像機と同じ周期ならば１秒間に３３フレーム分の画像データ，または，たとえば，２０ｍｓごとに１フレーム分の撮像画像データを入力部１３１から入力して，半導体メモリ１３４に一時的に１フレーム単位で記憶する（保存する）。
エ　「【００３０】
　第１例，呼吸状態の測定
　図３および図４を参照して第１例を述べる。
　被検体１００が呼吸をしているとき，吸気により胸から背中にかけて膨らみ，場合に応じて，胸から肩にかけて上昇する。他方，呼気のときは胸から背中にかけて窄み，度合いにより胸から肩にかけて下降する。すなわち，被検体１００の呼吸の際い，被検体１００の胸郭部分は２次元状に上記のごとく動き（体動）をとる。
　第１例は，この現象をビデオカメラ１１で撮像し，撮像した画像データを信号処理装置１３で信号処理して被検体１００の呼吸状態を連続的に測定する。
【００３１】
　図３は本発明のバイタルサイン計測装置およびバイタルサイン計測方法の具体的な第１例として，図１に図解したバイタルサイン計測装置１を用いて呼吸を計測するための撮像領域を図解した図である。
　第１例において，ビデオカメラ１１は白黒（モノクロ）のビデオカメラを用いた。したがって，ビデオカメラ１１の撮像画像データは，たとえば，０〜２５５の範囲の階調のみのデータである。そのため，好ましくは，白地，灰色地などの模様のない無地色の背景の前に，被検体１００として着衣した女性が横向きで立ち，または，椅子に座り，胸郭，特に，肺の前に対応する胸部分を第１領域Ａ１とし，第１領域Ａ１を含み，上は肩から下は心臓の下に位置する胸部分まで，横は背中から第１領域Ａ１の先端までを含む
第２領域Ａ２についてのビデオカメラ１１による撮像画像データを信号処理対象データとする。
　白地，灰色地などの模様のない無地色の背景の前に被検体１００が横向きに位置することは，被検体１００と背景との識別を容易にするためであり，本発明のために必須の条件ではない。
【００３２】
　ビデオカメラ１１による撮像領域は，図３に図解したように，第１領域Ａ１を含む第２領域Ａ２を含み，首から下で，胸郭の上部部分までとすることもできるし，第１領域Ａ１を含む第２領域Ａ２のみとすることもできる。ビデオカメラ１１による撮像領域の設定は，ステップ１の動作として，ユーザが手動で行った。
　
また，ビデオカメラ１１で撮像した画像データについての，第１領域Ａ１および第２領域Ａ２の設定も，ステップ１の動作として，キーボード１３９を介してユーザが手動で行った。
　もちろん，呼吸状況の測定のためのビデオカメラ１１に撮像位置の好適な条件は，事前に試行錯誤的に行った準備動作を参照して，または，経験による結果を反映して決定する。
【００３３】
　ステップ２の動作として，ＣＰＵ１３５は，入力部１３１を介してビデオカメラ１１から時間的に等間隔で連続的に，または，時間的に不等間隔で連続的に入力されてくる画像データを半導体メモリ１３４に１フレームごと連続的に格納する。ＣＰＵ１３５は，時間的に不等間隔で画像データが入力されたときは，上述したように，等間隔で入力されたと同様の画像データとなるように補間処理を行う。
　
ステップ３の処理動作として，ＣＰＵ１３５は半導体メモリ１３４に一時的に格納された画像データについて，第１領域Ａ１の画像データについて２次元的にエッジ位置を演算し，第２領域Ａ２の濃度（または明度）を演算した。濃度または照度については後述する。
【００３４】（中略）
【００３６】
　
ＣＰＵ１３５における濃度は，ビデオカメラ１１で撮像した画像データの階調から算出することができる。
　またはＣＰＵ１３５における濃度演算として，好ましくは，たとえば，白色の階調「０」とし，黒の階調を「２５５」として，背景と被検体１００とを識別するため，しきい値＝１００として，半導体メモリ１３４に記憶されている第２領域Ａ２部分の画像データとしきい値とを大小比較判断して２値化した。たとえば，しきい値より低い値の画像データを背景部分として「０」とし，しきい値より高い値の画像データを被検体１００の部分として「１」とした。そして，しきい値より高い値の画像データで「１」となった画素部分の総数を，濃度または照度として算出した。
　以下の記述においては，２値化した場合について述べる。
　したがって，濃度または照度は，ビデオカメラ１１で撮像した第２領域Ａ２の画素のうち，被検体１００の部分の面積を意味している。
【００３７】
　ステップ２〜３の処理を連続して行った。
　
ＣＰＵ１３５による連続的な演算結果をプロットした結果を図４に例示する。横軸は時間経過を示し，縦軸は検出したエッジと濃度（または照度）とを示す。曲線ＣＶ１はエッジの位置の変化を示しており，曲線ＣＶ２は濃度変化を示している。
　
図４の図解の結果から，エッジの位置の変化と濃度の変化とは１対１の対応関係にあり，エッジの位置が高くなるとき濃度が低下し，エッジの位置が低くなるとき濃度で高くなる。そして，両者とも周期的に変化する。
【００３８】
　図４に図解した結果を分析する。
　被検体１００が吸気を行ったときは，被検体１００の横方向において，胸から背中にかけてが膨らむから，しきい値より高い部分の画素の総数が多くなり，濃度が高くなる。このときエッジの位置が低くなる。他方，被検体１００が呼気を行ったときは，被検体１００の横方向において，胸から背中にかけて窄むから濃度は低くなる。
　検証のため，被検体１００の鼻下にサーミスタを置き，被検体１００の呼吸気流を測定した。その結果，サーミスタで測定した呼吸の周期と，図４に図解したエッジ位置の変化と濃度変化の周期が一致した。したがって，被検体１００が着衣状態でも，上述した撮像と信号処理を行うことにより，
図４に図解したエッジ位置の変化と濃度変化は被検体１００の呼吸の周期を正確に示していることが検証された。
【００３９】
　図４に図解した例示において，エッジの位置の変化は時間経過とともに低くなるが，濃度は一定している。その理由は，測定開始直後は被検体１００が大きく呼吸をしたためと推定される。濃度は呼吸の状態に依存せず，一定のリズム（周期）で一定の変動を示している。
　
この結果から，しきい値以上の階調を持つ部分の面積の数を示す濃度を用いると，エッジの変化を用いた場合より，吸気か呼気か，そして，呼吸数を正確に測定できる。
　換言すれば，特開平１１−８６００２号公報および特開平１１−２７６４４３号公報に開示されているように，エッジを用いると，呼吸状態の有無を検出することはできるが，吸気か呼気か，そして，正確な呼吸数を測定するには十分ではなかったが，上記濃度を測定すると，呼気および吸気識別でき，かつ，正確に呼吸数を測定することができた。
【００４０】
　
なお，本例による呼吸状態の判定方法としては下記のいずれかの方法で行うことができる。
　
（１）濃度変化のみで呼吸状態を判断する。
　（２）濃度変化とエッジの位置の変化の双方の一致をもって呼吸状態を判断する。
　（３）エッジの位置変化のみで呼吸状態を判断する。
【００４１】
　本例は，被検体１００が着衣状態で，ビデオカメラ１１による非接触状態で呼吸状態（吸気か呼気か，呼吸数）が正確に測定できる。また背景との識別も容易であり，被検体１００の着衣状態には依存しない。」
オ　「【００４４】
　第２例，呼吸状態の測定
　図５および図６を参照して，第２例として呼吸状態の測定方法の他の例を述べる。
　第２例は，図５に図解したように，図１に図解したバイタルサイン計測装置１を用いて，被検体１００の両腕（上腕と前腕）および手を，モノクロ・ビデオカメラ１１でそれぞれ撮像し，撮像データの濃度（相対濃度）を算出して被検体１００の呼吸状態を測定する例である。
【００４５】
　本発明者の研究によると，呼吸による胸部運動は頭部，前腕などにも体動を与える。その結果，心臓の動きに応じて血流が変化する。それに伴って，表面皮膚が動くことになる（体動する）。上腕と前腕の体動をビデオカメラ１１で動画像として撮像し，信号処理装置１３で信号処理することによっても被検体１００の心拍などの状態が測定できることを見いだした。
【００４６】
　そのため，
図５に図解したように，被検体１００の剥き出しの上腕と前腕と手を，これらの輪郭が識別できるような第１領域ＡＡ１，第２領域ＡＡ２，第３領域ＡＡ３について，それぞれビデオカメラ１１で撮像した。
【００４７】
　なお，本例は背景を斜線で示したように黒または灰色にして，被検体１００は白系統の着衣をし，腕を剥き出しにしている場合である。
　ただし，信号処理において，ビデオカメラ１１の撮像データを，たとえば，信号処理装置１３内で画像反転すればよいから，背景が黒または灰色でも，白でも信号処理上は大きな相違はない。
　撮像画像データから，被検体１００の手足における第１領域ＡＡ１，第２領域ＡＡ２，第３領域ＡＡ３の各々の画素の数（面積）を濃度（照度）として求めた。
【００４８】（中略）
【００５１】
　第３例：心拍および呼吸数の測定
　図７〜図９を参照して第３例を述べる。
　
第３例は，図７に図解したように，図１に図解したバイタルサイン計測装置１を用いて，被検体１００Ａの首全体（喉部分）または顔（前額など）を第１領域ＡＢ１とし，首左側（肩部分）を第２領域ＡＢ２とし，鎖骨部分を第３領域ＡＢ３として，モノクロビデオカメラ１１でそれぞれ撮像し，信号処理装置１３において，特に，ＣＰＵ１３５において，撮像データの濃度（相対濃度）を算出して心拍および呼吸数を測定する例である。
（２−２−２）引用例２記載の技術事項
　上記（２−２−１）の摘記事項アからオまでの記載及び関連する図面並びにこの分野における技術常識を考慮して引用例２の記載を検討する。
　上記ア及びイには，引用例２記載の技術が，動画像の時間的変化から，生体の状態を示す信号であるバイタルサインを簡単かつ正確に測定可能にするバイタルサイン計測方法に係るものであることについて記載されている。
　上記ウには，ビデオカメラ１１による連続的な撮像により，信号処理装置１３に，所定周期ごとに１フレーム分の撮像画像データが入力されることについて記載されている。
　上記イ及びエには，ユーザが設定した領域の撮像画像データを信号処理対象データとすること，及び前記領域の撮像画像データの階調から，当該領域の濃度又は照度を算出し，その時間的変化により被検体の呼吸状態が判定されることについて記載されている。
　また，上記オには，前記領域を複数設定する例について記載されている。
　なお，上記エは，引用例２における「第１実施の形態」の「第１例」に係る記載事項であり，上記オは，「第１実施の形態」の「第２例」及び「第３例」についての記載事項であるが，まず上記エにおいて，バイタルサインを計測する方法の詳細な説明がなされ，上記オにおいて，上記「第１例」と相違する，撮影部位についての説明を中心に記載されている。したがって，上記エの記載事項は，上記オの記載事項と相反しない限りにおいて，「第２例」及び「第３例」の前提事項を示す記載としての位置付けも有するものと認められる。
　以上の記載を踏まえれば，引用例２には，以下の技術事項が開示されている。
（引用例２記載の技術事項）
「生体の状態を示す信号であるバイタルサインを，簡単かつ正確に測定可能にする方法であって，連続する複数フレームの撮像画像内の複数の領域について，撮像画像データを信号処理し，前記領域における撮像画像データの階調の時間的変化を算出し，当該時間的変化により，被検体の呼吸状態，心拍等の判定ができること。」
（３）対比
　補正後の発明と引用発明とを対比する。
（３−１）構成要件Ａと構成要件ａとの対比
ア　引用発明の「撮像された患者の，静止画像の連続画像に係る画像信号データ」は，補正後の発明の「ビデオデータ」に相当する。
イ　引用発明の「当該撮像された患者の，生体信号データ」は，前記画像信号データに係る連続画像に映っている患者のデータであるから，前記画像信号データに関連するデータである。ここで，補正後の発明の「メタデータ」についてみるに，メタデータとは，一般に，当該データに関連するデータであって，当該データ自身についての付加的なデータのことである。そして，本願の明細書及び図面をみても，「メタデータ」について，特別の定義はなされていない。したがって，上記アも踏まえれば，引用発明の「当該撮像された患者の，生体信号データ」と，補正後の発明の「メタデータ」とは，「ビデオデータに関連するデータ」という点では共通する。
ウ　引用発明において，前記画像信号データと，前記生体信号データとを，「医師側端末において画面を分割して表示できるように伝送する」ということは，画像信号データと，生体信号データとを，組み合わせた形で表示できるように，両データを医師側端末装置に供給するということであるから，両データの「組み合わせを供給する」ことといえる。
エ　よって，引用発明の構成要件ａと，補正後の発明の構成要件Ａとは，「ビデオデータ及び当該ビデオデータに関連するデータの組み合わせを供給する方法において，」という点で共通する。
　しかしながら，「ビデオデータに関連するデータ」が，補正後の発明では，「メタデータ」であるものの，引用発明では，「メタデータ」とはいえない点で，両発明は相違する。
（３−２）構成要件Ｂと構成要件ｂとの対比
ア　引用発明の「遠隔医療診断システム」は，画像信号データや生体信号データを伝送するための処理を行うシステムであるから，補正後の発明の「処理システム」に相当する。また，引用発明の「カメラ」は，これにより前記静止画像の連続画像を撮像するのであるから，補正後の発明の「ビデオカメラ」に相当する。
イ　引用発明において，「前記静止画像の連続画像を撮像」するということは，前記遠隔医療診断システムが，前記連続画像を「取り込」み，前記静止画像の連続画像，すなわち「画像のシーケンス」を「得る」ことといえる。
ウ　よって，引用発明の構成要件ｂ「遠隔医療診断システムが，カメラにより，前記静止画像の連続画像を撮像し，」は，補正後の発明の構成要件Ｂ「処理システムが，ビデオカメラにより取り込まれる画像のシーケンスを得るステップと，」に相当する。
（３−３）構成要件Ｃと構成要件ｃとの対比
　引用発明は，構成要件ｃに示されているように，前記遠隔医療診断システムが，生体モニタ装置で患者の脈拍等を計測するというものである。したがって，当該脈拍の信号は前記連続画像から抽出されておらず，補正後の発明の構成要件Ｃに相当する構成を備えていない。
　よって，補正後の発明では，前記処理システムが，「前記画像のシーケンスにある複数の関心領域から少なくとも１つの信号を抽出するステップであり，各々の抽出した信号は，光の強度及び色の少なくとも１つの局所的な時間変動を特徴付けている，ステップ」を有する，という構成を備えているのに対し，引用発明では，遠隔医療診断システムが，生体モニタ装置で患者の脈拍等を計測しており，そのような，画像から信号を抽出する構成を備えていない点で，両発明は相違する。
（３−４）構成要件Ｄと構成要件ｄとの対比
ア　上記（３−２）アで示したように，引用発明の「遠隔医療診断システム」は，補正後の発明の「処理システム」に相当する。
イ　引用発明における「カメラで撮像した画像」は，構成要件ｂで示されるように，静止画像の連続画像であるから，上記（３−２）イの検討を踏まえると，画像のシーケンスを構成しており，各画像についてみれば，「前記シーケンスからの画像」ということができる。
　また，引用発明において，「前記画像信号データを圧縮」するということは，上記（３−１）アの検討も踏まえると，「画像データ」に「ビデオ」の「圧縮技術を適用」してなされるといえ，このことは，「圧縮したビデオデータを得るため」になされていることといえる。
ウ　よって，引用発明の構成要件ｄと，補正後の発明の構成要件Ｄとは，「前記処理システムが，圧縮したビデオデータを得るために，前記シーケンスからの画像の画像データに少なくとも１つのビデオ圧縮技術を適用するステップ」を有する，という構成を備える点で共通する。
　しかしながら，補正後の発明では，「前記少なくとも１つの抽出した信号は，前記画像からの画像データに前記少なくとも１つの圧縮技術を適用する前の状態の画像から抽出される」という構成を備えているのに対し，引用発明では，そのような構成を備えていない点で相違する。
（３−５）構成要件Ｅと構成要件ｅとの対比
ア　上記（３−２）アで示したように，引用発明の「遠隔医療診断システム」は，補正後の発明の「処理システム」に相当する。
　また，引用発明の「患者」は，補正後の発明の「被験者」に相当する。
　さらに，上記（３−１）イで示したように，引用発明の「前記生体信号データ」は，補正後の発明の「メタデータ」と，「前記ビデオデータに関連するデータ」という点では共通する。
　また，上記（３−１）アを踏まえれば，引用発明の「前記圧縮した画像信号データ」は，補正後の発明の「前記圧縮したビデオデータ」に相当する。
イ　引用発明において，「カメラで撮像している」患者は，カメラで撮像した「前記画像の少なくとも一部に表され」ているといえる。
　また，引用発明において，前記生体信号データが，「脈拍等のデータである」ということは，患者がどのように脈を打っているのか等の，患者における生物学的処理に関し，前記生体信号データが，当該生物学的処理の特徴を示している，ということができるから，前記生体信号データは，患者における「生物学的処理を特徴付けるための」ものであるということができる。
ウ　引用発明において，前記生体信号データを，前記圧縮した画像信号データと「多重化して医師側端末装置に伝送する」ということは，前記圧縮した画像信号データの側からみれば，多重化のために，前記生体信号データが，前記圧縮した画像信号データに「供給」されているといえる。
エ　よって，引用発明の構成要件ｅと，補正後の発明の構成要件Ｅとは，「前記処理システムが，前記画像の少なくとも一部に表される被験者における少なくとも１つの生物学的処理を特徴付けるための，前記ビデオデータに関連するデータを前記圧縮したビデオデータに供給するステップ」を有する，という構成を備えている点で共通する。
　しかしながら，両発明は，以下の点で相違する。
（ｉ）「前記ビデオデータに関連するデータ」が，補正後の発明では，「メタデータ」であるものの，引用発明では，「メタデータ」とはいえない点
（ｉｉ）補正後の発明では，被験者における生物学的処理について，「前記処理は，前記被験者から取り込まれる光の色及び強度の少なくとも１つの局所的な時間変動を引き起こし，」という構成を備えているのに対し，引用発明では，そのような構成を備えていない点
（ｉｉｉ）補正後の発明では，「前記メタデータは前記抽出した信号の少なくとも１つに少なくとも基づいている，」という構成を備えているのに対し，引用発明では，そのような構成を備えていない点
（３−６）構成要件Ｆと構成要件ｆとの対比
　引用発明の「方法」は，上記（３−１），（３−３），（３−４）及び（３−５）において示した相違を除き，補正後の発明の「方法」に相当するものといえる。
（３−７）まとめ
　上記（３−１）から（３−６）までに示した対比結果に基づき，補正後の発明と，引用発明との間の一致点と相違点をまとめると，以下のとおりである。
（一致点）
「ビデオデータ及び前記ビデオデータに関連するデータの組み合わせを供給する方法において，
　処理システムが，ビデオカメラにより取り込まれる画像のシーケンスを得るステップと，
　前記処理システムが，圧縮したビデオデータを得るために，前記シーケンスからの画像の画像データに少なくとも１つのビデオ圧縮技術を適用するステップと，
　前記処理システムが，前記画像の少なくとも一部に表される被験者における少なくとも１つの生物学的処理を特徴付けるための，前記ビデオデータに関連するデータを前記圧縮したビデオデータに供給するステップとを有する，方法。」
（相違点１）
　「ビデオデータに関連するデータ」が，補正後の発明では，「メタデータ」であるものの，引用発明では，「メタデータ」とはいえない点
（相違点２）
　補正後の発明では，前記処理システムが，「前記画像のシーケンスにある複数の関心領域から少なくとも１つの信号を抽出するステップであり，各々の抽出した信号は，光の強度及び色の少なくとも１つの局所的な時間変動を特徴付けている，ステップ」を有する，という構成を備えているのに対し，引用発明では，遠隔医療診断システムが，生体モニタ装置で患者の脈拍等を計測しており，そのような，画像から信号を抽出する構成を備えていない点
（相違点３）
　補正後の発明では，「前記少なくとも１つの抽出した信号は，前記画像からの画像データに前記少なくとも１つの圧縮技術を適用する前の状態の画像から抽出される」という構成を備えているのに対し，引用発明では，そのような構成を備えていない点
（相違点４）
　補正後の発明では，被験者における生物学的処理について，「前記処理は，前記被験者から取り込まれる光の色及び強度の少なくとも１つの局所的な時間変動を引き起こし，」という構成を備えているのに対し，引用発明では，そのような構成を備えていない点
（相違点５）
　補正後の発明では，「前記メタデータは前記抽出した信号の少なくとも１つに少なくとも基づいている，」という構成を備えているのに対し，引用発明では，そのような構成を備えていない点
（４）当審の判断
ア　上記（相違点１），（相違点２），（相違点４）及び（相違点５）について
（ア）　引用発明は，構成要件ｃに示されるように，患者の脈拍等を生体モニタ装置で計測するものである。したがって，引用発明においては，生体情報を，生体モニタ装置から取得しており，撮像した画像から取得してはいない。
　他方，引用例２には，上記（２−２−２）で示したように，「生体の状態を示す信号であるバイタルサインを，簡単かつ正確に測定可能にする方法であって，連続する複数フレームの撮像画像内の複数の領域について，撮像画像データを信号処理し，前記領域における撮像画像データの階調の時間的変化を算出し，当該時間的変化により，被検体の呼吸状態，心拍等の判定ができること」という技術事項が記載されている。
　引用発明と，引用例２記載の技術事項とは，人間を撮像するとともに，その人間から生体情報を取得するという点で共通している。また，データの計測手法として，新たなものが登場した場合に，正確性，簡便性，価格等の観点から，新たな計測手法の採用を試みることは，当業者の通常の創作能力の発揮といえる。
　これらのことに鑑みれば，引用発明に引用例２記載の技術事項を適用する動機付けはあるといえ，患者の生体情報の取得について，引用発明の，生体モニタ装置を用いる手法に代えて，引用例２に開示されているような，撮像した画像を用いる手法を適用し，当該手法により，生体信号データを取得するように構成することは，当業者が容易に想到し得たことである。
　ここで，当該適用をどのように行うかについては，生体モニタ装置に代替するカメラをさらに設けることにより，カメラを二台とする態様と，生体モニタ装置に代替するカメラとして，すでにあるカメラを用いる態様とが考えられるところである。
　そこで検討するに，装置やシステムを設計するに当たり，一般に，重複構成を避ける方が，スペースや価格等の面で好ましく，また実際に，手段を兼用することは，本願出願前における常套手段である。さらに，引用例２記載の技術事項におけるカメラにつき，引用例２には，「ビデオカメラ１１はズーム機能つきであるが，カラービデオカメラでもよいし，モノクロビデオカメラでもよい。本実施の形態ではモノクロビデオカメラを用いた。ビデオカメラ１１は従って，撮像信号として各画素について，たとえば，０〜２５５の階調のデータを出力する。たとえば，白が階調０であり，黒が階調２５５となる。」（段落【００１８】）といった記載があるにとどまり，引用例２記載の技術事項は，特殊なカメラを用意しなければ実現できないというものでもない。
　そうすると，引用発明への，引用例２記載の技術事項の適用を，カメラが一台で済む，後者の態様によって行うことは，当業者が適宜選択し得たことであり，当該適用に伴う設計的事項にすぎないことといえる。
（イ）　次に，容易想到である前記適用により，補正後の発明に到達するか否かについて，以下検討する。
（イ−１）　上記（相違点２）の前段に係る構成について
　前記適用により，引用発明は，静止画像の連続画像，すなわち，画像のシーケンスにある複数の領域について，撮像画像データを信号処理するものとなる。
　ここで，「信号処理する」ことは，「信号を抽出する」ことが前提となっているといえる。また，前記「複数の領域」は，上記（２−２−２）に示すように，信号処理を行う領域として，ユーザが設定するものであって，「関心領域」ということができる。
　そうすると，当業者は，前記適用により，上記（相違点２）の前段に係る構成，すなわち，「前記画像のシーケンスにある複数の関心領域から信号を抽出するステップ」を有する構成に到達するといえる。
（イ−２）　上記（相違点２）の後段に係る構成について
　前記適用により，引用発明は，前記領域における撮像画像データの階調の時間的変化，すなわち時間変動を算出するものとなる。
　ここで，階調は，光の強度といえ，その各領域における変動は，局所的な時間変動ということができるから，複数の領域から抽出した各信号は，光の強度の局所的な時間変動を特徴づけるものといえる。
　そうすると，当業者は，前記適用により，上記（相違点２）の後段に係る構成，すなわち，「各々の抽出した信号は，光の強度及び色の少なくとも１つの局所的な時間変動を特徴付けている」という構成に到達するといえる。
（イ−３）　上記（相違点４）に係る構成について
　前記適用により，引用発明は，撮像画像データの階調の時間的変化，すなわち時間変動により，被検体の呼吸状態，心拍等の判定ができるものとなる。
　ここで，被検体の呼吸状態や心拍等は，被検体においてなされる生体活動，すなわち，生物学的処理の結果ということができる。また，被検体の呼吸状態や心拍等の判定を，前記時間変動により行えるということは，前記時間変動は，被検体の呼吸状態や心拍等によって引き起こされているといえる。
　そうすると，当業者は，前記適用により，（相違点４）に係る構成，すなわち，生物学的処理について，「前記処理は，前記被験者から取り込まれる光の色及び強度の少なくとも１つの局所的な時間変動を引き起こし，」という構成に到達するといえる。
（イ−４）　上記（相違点１）及び（相違点５）に係る構成について
　前記適用により，引用発明の生体信号データは，カメラにより撮影した画像について信号処理したものになるといえる。そして，その生体信号データは，カメラにより撮像された患者の画像に係る画像信号データに関連し，さらに，当該画像信号データ自身について処理して得られた付加的なデータでもあるから，画像信号データの「メタデータ」ということができる。このことと，上記（イ−１）の検討を踏まえれば，「メタデータは，前記抽出した信号の少なくとも１つに少なくとも基づいている」ことになる。
　そうすると，当業者は，前記適用により，上記（相違点１）に係る構成，すなわち，ビデオデータに関連するデータが「メタデータ」であるという構成，及び上記（相違点５）に係る構成，すなわち，「前記メタデータは前記抽出した信号の少なくとも１つに少なくとも基づいている，」という構成に到達するといえる。
（ウ）　審判請求人は，平成２７年９月３０日付け審判請求書において，動機付けの不存在や，「引用文献１，２は，いずれも，本願発明のように，少なくとも１つの信号と圧縮したビデオデータとを同一のソース（即ち，同一の画像のシーケンス）から得ることを開示するものではなく，従って，これらを組み合わせたとしても，本願発明の前記構成には至らないことは明らか」といった主張をしているが，上記（ア）に示すように，引用発明に引用例２記載の技術事項を適用する動機付けはあるといえ，当該適用を，生体モニタ装置に代替するカメラとして，すでにあるカメラを用いる態様で行うことは，当業者が容易に想到し得たことである。
　また，審判請求人は，同審判請求書において，「本願発明は，ビデオカメラにより取り込まれた画像のシーケンスにある複数の関心領域から少なくとも１つの信号を抽出することを特徴と一つ」とする旨，主張しているが，「複数の領域について，撮像画像データを信号処理」することについては，上記（ア）に示すように，引用例２記載の技術事項として，引用例２に開示されていることである。
（エ）　以上によれば，審判請求人の主張を斟酌しても，上記（相違点１），（相違点２），（相違点４）及び（相違点５）に係る構成は，引用発明に，引用例２記載の技術事項を適用することにより，当業者が容易に想到し得たものといえる。
イ　上記（相違点３）について
　引用発明に引用例２記載の技術事項を適用する容易想到性については，上記ア（ア）に示すとおりである。
　ここで，引用例２記載の技術事項における，「連続する複数フレームの撮像画像内の複数の領域について，撮像画像データを信号処理し，前記領域における撮像画像データの階調の時間変化を算出」することについてみると，引用例２には，圧縮等の他の画像処理を事前に行うことは何ら記載されていない。また，階調についての情報を得るに当たり，圧縮後の撮像画像データの方が好ましいという技術常識があるともいえない。
　したがって，引用発明に，引用例２記載の技術事項を適用するに当たり，前記信号処理のための信号の抽出を，あえて圧縮後の画像から行わせるのではなく，圧縮前の画像から行うようにすることは，ごく自然なことといえる。
　よって，上記（相違点３）に係る構成，すなわち，「前記少なくとも１つの抽出した信号は，前記画像からの画像データに前記少なくとも１つの圧縮技術を適用する前の状態の画像から抽出される」という構成は，引用発明に引用例２記載の技術事項を適用して，当業者が容易に想到し得たものである。
ウ　さらに，補正後の発明の作用，効果も，引用発明及び引用例２記載の技術事項から当業者が予測できる範囲のものである。
エ　したがって，補正後の発明は，引用発明及び引用例２記載の技術事項に基づいて当業者が容易に発明をすることができたものであるから，特許法第２９条第２項の規定により，特許出願の際独立して特許を受けることができないものである。
４　結語
　以上のとおり，本件補正は，補正後の発明が特許出願の際独立して特許を受けることができないものであるから，特許法第１７条の２第６項において準用する同法第１２６条第７項の規定に適合しない。
　したがって，本件補正は，同法第１５９条第１項において読み替えて準用する同法第５３条第１項の規定により却下すべきものである。
第３　本願発明について
１　本願発明
　本件補正は，上記のとおり却下されたので，本願発明は，上記「第２　補正却下の決定」の「１　本願発明と補正後の発明」の項で「本願発明」として認定したとおりである。
２　引用発明
　引用発明及び引用例２記載の技術事項は，上記「第２　補正却下の決定」の「３　独立特許要件について」における「（２）引用発明等」の項で認定したとおりである。
３　対比及び判断
　そこで，本願発明と引用発明とを対比するに，本願発明は，上記「第２　補正却下の決定」の「１　本願発明と補正後の発明」において認定した「補正後の発明」から本件補正の補正箇所に係る限定事項を省いたものである。
　そうすると，本願発明の構成に本件補正の補正箇所に係る限定事項を付加した「補正後の発明」が，上記「第２　補正却下の決定」の「３　独立特許要件について」において検討したとおり，引用発明及び引用例２記載の技術事項に基づいて当業者が容易に発明をすることができたものであるから，補正後の発明から本件補正の補正箇所に係る限定事項を省いた本願発明も，同様の理由により，当業者が容易に発明をすることができたものである。
第４　むすび
　以上のとおり，本願発明は，引用発明及び引用例２記載の技術事項に基づいて，当業者が容易に発明をすることができたものであるから，特許法第２９条第２項の規定により特許を受けることができない。
　したがって，その他の請求項に係る発明について検討するまでもなく，本願は拒絶されるべきものである。
　よって，結論のとおり審決する。